(57)【特許請求の範囲】
【請求項１】
地上を凹状に掘削，成形して廃棄物を集積するようにした廃棄物処分場において、前，後端が開口し、かつ少なくとも下部側に複数の孔を有する箱状の地下水集排水ユニットを、複数個、上記開口同志が連通するように接続した状態で処分場底部に配置するとともに、この地下水集排水ユニットの上に、前，後端が開口し、かつ少なくとも上部側に複数の孔を有する箱状の浸出水集排水ユニットを、上記開口同志が連通するように接続した状態で、上記処分場の埋立地の全面に敷設したことを特徴とする廃棄物処分場。
【請求項２】
地上を凹状に掘削，成形して廃棄物を集積するようにした廃棄物処分場において、前，後端が開口し、かつ少なくとも下部側に複数の孔を有する箱状の地下水集排水ユニットを、複数個、上記開口同志が連通するように接続した状態で処分場底部に配置するとともに、この地下水集排水ユニットの上に、前，後端が開口する箱状の漏洩水集排水ユニットを、複数個、上記開口同志が連通するように接続した状態で、上記処分場の埋立地の全面に敷設したことを特徴とする廃棄物処分場。
【請求項３】
上記漏洩水集排水ユニットの上に、前，後端が開口し、かつ少なくとも上部側に複数の孔を有する箱状の浸出水集排水ユニットを、複数個、上記開口同志が連通するように接続した状態で配置したことを特徴とする請求項２に記載の廃棄物処分場。
【請求項４】
漏洩水集排水ユニットには、左，右端面にも開口が設けられて、この開口を介して漏洩水集排水ユニットは左，右同志が連通することを特徴とする請求項２または請求項３に記載の廃棄物処分場。
【発明の詳細な説明】
【０００１】
【発明の属する技術分野】
この発明は、廃棄物処分場、特に浸出水，地下水等を処理するための構造に関するものである。
【０００２】
【従来の技術】
従来、産業廃棄物，生活廃棄物を集積するための処分場１は図１５及び図１６に示すように地上２を凹状に掘削，成形し、さらにコンクリート塀３を構築する等により形成している。
【０００３】
その底部４には通常、２重シートから成るしゃ水シート５がほぼ全面に敷設され、このしゃ水シート５の上には浸出水集排水路６が複数設けられ、この浸出水集排水路６には複数本の分岐浸出水集排水路７が接続される。この分岐浸出水集排水路７のうち、外側に位置する排水路７からは傾斜面８に沿うガス抜き路９が延長する。
また、しゃ水シート５の下面側には複数の地下水集排水路１０及びこの排水路１０に接続された図外の分岐地下水集排水路が設けられる。
【０００４】
この廃棄物処分場１の側部には、浸出水貯留部１１が設けられる。この浸出水貯留部１１には浸出水ガイド管１２を介して浸出水集排水路６からの浸出水が貯留された上で、図外のポンプを介して外部に排出され、浄化処理される。
また、廃棄物処分場１の側部には、地下水貯留部１３が設けられ、この地下水貯留部１３には地下水ガイド路１４を介して地下水集排水路１０からの地下水が貯留された上で、図外のポンプを介して外部に排出され、処理される。
【０００５】
上記浸出水集排水路６は図１７，１８に示すように外周に多数の孔を有する集排水管６ａを凹部６ｂに設置し、その周りを砕石等のフィルター材６ｃで埋めて構成される。しゃ水シート５の上には砂，砂利等の保護材１５が設けられる。
また、上記地下水集排水路１０は外周に多数の孔を有する集排水管１０ａを凹部１０ｂに設置し、その周りを砕石等のフィルター材１０ｃで埋めて、蓋材１０ｄを被せて構成される。
【０００６】
以上の構成において、廃棄物よりしみ出したり、雨水が廃棄物を通路することにより汚染物質を含むことになった浸出水ａは、底部４方向に移行するが、しゃ水シート５によりブロックされるので、底部４の地中に漏洩してしみ込むことはない。
この浸出水ａは、フィルター材６ｃを経由して集排水管６ａの複数の孔を介して集排水管６ａの中に入り込み、集水された後、浸出水ガイド管１２を介して浸出水貯留部１１に排水して貯留され、その後図外のポンプで排出された後、浄化して処理される。集排水管６ａには廃棄物より発生するガスも供給されるが、これは、ガス抜き路９を介して外部に放出される。
【０００７】
底部５の地中の地下水ｂは、フィルター材１０ｃを経由して集排水管１０ａの複数の孔を介して排水管１０ａの中に入り込み、集水された後、ガイド管１４を介して地下水貯留部１３に貯留され、その後図外のポンプで排出される。
【０００８】
【発明が解決しようとする課題】
しかし、従来は浸出水集排水路６，地下水集排水路１０等を、凹部６ｂ，１０ｂ中で所定長さの排出管６ａ，１０ａを継ぎ合せ、これをフィルター材６ｃ，１０ｃで埋めて形成しているのでつぎの欠点を有している。
【０００９】
最終処分場の埋立地に要求される機能を満足させるためには、各機能毎の製品や構造物を組み合わせなくてはならず、トータルとしての機能品質が一定しない。また、施工的にも煩雑である。
【００１０】
しゃ水シート５としては一般的に合成ゴム，ゴムアスファルト，プラスチック板等のシートが用いられているが、最終処分場の施工段階や埋立段階においてしゃ水シート５が破損する要因が数多く存在しており、長期間（３０〜４０年）にわたるしゃ水性能の確保といった点で問題がある。
【００１１】
廃棄物の自己分解を促進させ、また、浸出水ａを漏洩させないためには、浸出水ａの速やかな排出と浸出水ａを廃棄物層内に長期間貯留させないことが重要であるが、浸出水集排水路６，７による浸出水の集排水においては、その能力（貯留スペースがない等）及び信頼性（目づまり等）に問題がある。
【００１２】
地下水ｂが上昇すると埋立地が破壊される傾向となり、それを防ぐためには地下水ｂを長期間にわたり確実に集排水させる必要がある。しかし、地下水の性状把握については不確定要素が多く、地下水集排水管による地下水の集排水においては、その能力（余裕の判断が困難等）及び信頼性（目づまり等）に問題がある。
【００１３】
廃棄物の自己分解を促進し早期の跡地利用を図るためには、廃棄物層内に多くの空気を通気させることで廃棄物と空気の接触面による好気性領域を拡大させる必要がある。しかし、浸出水集排水路６，７を用いた空気の自然通気では量的な問題においてもその効果に限界がある。
【００１４】
廃棄物の埋立が進行していくと、空気の通気性が悪くなることから好気的分解領域が減少し、廃棄物の自己分解能力も低下する。しかし、準好気性埋立のメカニズム的には発生ガスを速やかに排出することで、放出されたガスの負圧により浸出水集排水路６，７からの空気が供給されることになっているが、浸出水集排水路６，７による空気の供給能力には限界がある。
【００１５】
浸出水ａの漏洩を検知するモニタリングシステムには、しゃ水シート５を２重にしてその間の通水層に漏洩した浸出水の量と質を検知するシステムと、しゃ水シートの絶縁性を利用して浸出水が漏洩した場合の電気的分布によりしゃ水シートの損傷箇所を特定するシステムがある。しかし、両システムとも技術的な問題点を多く抱えているととも、漏洩箇所をダイレクトに目視等により確認はできない。また、損傷箇所の修復方法については確立された技術はないのが現状である。
【００１６】
この発明は上記課題を解決するためになされたもので、品質を一定に保ち、施工を短期で行え、長期の耐久性が得られ、浸出水，地下水の速やかな排水が可能で、またその排出の能力及び信頼性を高め、十分な空気の通気を可能として好気性領域を拡大させ、発生ガスを速やかに排気し、しかも浸出水の漏洩を確実に検知できるようにする。
【００１７】
【課題を解決するための手段】
この請求項１に係わる発明は、前，後端が開口し、かつ少なくとも下部側に複数の孔を有する箱状の地下水集排水ユニットを、複数個、上記開口同志が連通するように接続した状態で処分場底部に配置するとともに、この地下水集排水ユニットの上に、前，後端が開口し、かつ少なくとも上部側に複数の孔を有する箱状の浸出水集排水ユニットを、上記開口同志が連通するように接続した状態で、上記処分場の埋立地の全面に敷設したものである。
【００１８】
この請求項２に係わる発明は、前，後端が開口し、かつ少なくとも下部側に複数の孔を有する箱状の地下水集排水ユニットを、複数個、上記開口同志が連通するように接続した状態で処分場底部に配置するとともに、この地下水集排水ユニットの上に、前，後端が開口する箱状の漏洩水集排水ユニットを、複数個、上記開口同志が連通するように接続した状態で、上記処分場の埋立地の全面に敷設したものである。
【００１９】
この請求項３に係わる発明は、上記漏洩水集排水ユニットの上に、前，後端が開口し、かつ少なくとも上部側に複数の孔を有する箱状の浸出水集排水ユニットを、複数個、上記開口同志が連通するように接続した状態で配置したものである。
【００２０】
この請求項４に係わる発明は、漏洩水集排水ユニットには左右端面にも開口を設けて、漏洩水集排水ユニットが左右において連通するようにしたものである。
【００２１】
【発明の実施の形態】
実施の形態１．
図１及び図２は本発明による廃棄物処分場の一実施の形態を示す断面図である。各図において処理場の底部側の地下地盤２０の上には地下水集排水ユニット２１が図３に示すように碁盤目状に配置される。この地下水集排水ユニット２１は、図４に示すように一定の幅を有し、前，後端に開口部２１ａを有し、さらに底板２１ｂに多数の孔２１ｃを有する長方形状の箱体により構成される。上記地下水集排水ユニット２１は縦，横方向に地盤２２に接地して整列して配列されるものであるが、図３に示すように縦方向に配列される地下水集排水ユニット２１同志は互いに開口部２１ａ同志が向き合う状態で接続されており、これにより地下水ｂのための水路が形成されることになる。なお横方向の地下水集排水ユニット２１同志は互いに接続しても接続しなくてもいずれでもよい。
【００２２】
上記地下水集排水ユニット２１の上にはこれと同一形状の漏洩水集排水ユニット２２が碁盤目状に配置される。この漏洩水集排水ユニット２２は図５に示すように、その前，後端に開口部２２ａを有するものであるが、その側板２２ｂにも縦方向に配置された開口部２２ｃを有している。この場合も漏洩水集排水ユニット２２は縦方向に配列されるもの同志が互いに接続されて、開口部２２ａ同志が連通するようになっている。しかもこの漏洩水集排水ユニット２２は横方向に位置するもの同志が互いに接続されて側板２２ｂに設けられた開口部２２ｃ同志が互いに連通する状態となっている。このように、漏洩水集排水ユニット２２は縦方向にも横方向にも互いに連通している。この縦方向及び横方向の漏洩水集排水ユニット２２を接続するには、例えば図７に示すように漏洩水集排水ユニット２２の上面と下面の四辺より一定の高さの立上り板２２ｄを設け、このように漏洩水集排水ユニット２２の上面と下面の四辺から立上がった立上り板２２ｄをシール材２２ｈを介在させて、止め具２２ｇによって互いに接続することにより、密な状態で碁盤目状に配列された漏洩水集排水ユニット２２の前，後，左右のもの同志を接続することができる。これによれば、上記シール材２２ｈによって浸出水が地下地盤の方向に洩れる恐れがなくなる。
【００２３】
上記漏洩水集排水ユニット２２の上には、この漏洩水集排水ユニット２２とほぼ同一形状の浸出水集排水ユニット２３が位置されている。この浸出水集排水ユニット２３は、図６に示すように前，後端に開口部２３ａを有し、その上板２３ｂに多数の孔２３ｃを有しており、上記漏洩水集排水ユニット２３に対応して、縦方向，横方向に配置される。この場合、縦方向に配置される浸出水集排水ユニット２３同志は、互いに接続されて、その開口部２３ａ同志が連通する状態となっている。なお、この縦方向に配置される浸出水集排水ユニット２３同志あるいは図４に示す地下水集排水ユニット２１同志の接続構造は、図７に示すものを用いてもよい。
【００２４】
あるいは、これら漏洩水集排水ユニット２２，地下水集排水ユニット２１，浸出水集排水ユニット２３の接続構造は、図９に示すようにユニットの上下より水平板２２ｅを突出させ、これら水平板２２ｅをシール材２２ｆを介在させて対抗させ、止め具２２ｇによって固定することにより接続することにしてもよい。
【００２５】
以上の構成では、図８に示すように地下水集排水ユニット２１，漏洩水集排水ユニット２２，浸出水集排水ユニット２３を三段重ねとして構成した処理ユニット２４を縦方向，横方向に碁盤目状に配置して構成されたものであって、このような処理ユニット２４の上に砂，砂利等の保護材２５を被せることにより、廃棄物処理場として完成することができる。
【００２６】
以上の構成によれば、図２に示すように地下地盤２０からしみ出る地下水ｂは、地下水集排水ユニット２１の底板２１ｂに設けた孔２１ｃから、地下水集排水ユニット２１内に入り込んで、一連の地下水集排水ユニット２１の傾斜方向に沿って流れて、図示しない貯留部に一端貯留されたのちポンプによって排出される。また、廃棄物からしみ出る浸出水ａは浸出水集排水ユニット２３の上板２３ｂに設けた孔２３ｃから浸出水集排水ユニット２３内に入り込んで、この浸出水集排水ユニット２３の傾斜方向に沿って流れたのち、図示しない貯留部に貯留され、ポンプによって排出されたのち浄化されて、処理されることになる。
【００２７】
本発明においては、中段の漏洩水集排水ユニット２２が、縦方向，横方向に碁盤目状に配置され、かつ互いに例えば図７，図９に示すように水漏れが生じないように接続されているので、この漏洩水集排水ユニット２２にもとづき、廃棄物からしみ出るような浸出水ａをしゃ水して地下地盤２０方向に漏れるのを阻止することができる。一方、仮に漏洩水集排水ユニット２２同志のしゃ水機能に破れが生じた場合、この破れによる浸出水の漏れ水ｆは漏洩水集排水ユニット２２の側板２２ｂに設けた開口部２２ｃを介して、漏洩水集排水ユニット２２に入り込み、この漏洩水集排水ユニット２２の傾斜方向に沿って流れて図示しない貯留部で貯留されることになる。この浸出水の漏れ水ｆを検知するには、漏洩水集排水ユニット２２にその開口部２２ａからファイバースコープのファイバーを挿入する等して、漏れ水ｆを容易に検地することができる。以上のような検知方法によって、漏れ水ｆを検知した場合には、漏洩水集排水ユニット２２の漏れ水ｆの生じた箇所に固化材を注入して漏れ個所を固化することにより修復できる。また、本実施の形態１によれば、上段の浸出水集排水ユニット２３に含まれる空気がその上部に設けた孔２３ｃを介して上部方向に漏れるために、廃棄物内に下側から十分な量の空気を供給することができ、廃棄物の良好な好気性分解を促すことが可能となる。また、浸出水集排水ユニット２３を廃棄物処理場の側部の傾斜面に沿うように延長することにより、この延長された浸出水集排水ユニットの内部を介して、埋立地内のガスを排出することができ、ガス抜きが可能となる。
ユニット式漏水検知システムは、ユニットによる空間を利用して、浸出水の漏洩及びその質と量を常時監視するとともに、浸出水の漏洩が確認された場合にはその損傷箇所の特定と補修を、小型カメラや小型ロボットを用いて、ダイレクトかつ確実に行うモニタリングシステムであってもよい。すなわち、最終処分場の埋立地の底面もしくは底面と法面に、ユニットのみまたは遮水シート間にユニットを連続して敷設し、廃棄物層と地盤の間に空間を創ることで、その空間を利用して、漏洩した浸出水を集水し検知する。浸出水の漏洩が確認された場合には、小型カメラ等によりユニット内の損傷箇所を検索し、確認された損傷箇所については、凝結性の注入剤等でユニット内を通して補修する。また、補修中の状況及びその後の補修効果についても小型カメラ等により監視する。注入等による補修でユニット間の流路が塞がれた場合には、補修箇所の上流側のユニットに小型ロボット等により孔を開けて新たな流路を設けることとする。
【００２８】
すなわち本発明においては、浸出水集排水において次の効果を奏する。
ユニット式の浸出水集排水構造は、そのシステムプランにより、廃棄物と接するユニットの上面または上面と側面に設けた有孔から浸出水を集水し、ユニット内を通じて排水する。
浸出水は、浸出水の有害濃度の上昇を防ぎ、また、浸出水の漏洩を防止するといった観点からも、浸出水を埋立地内に滞留させずに速やかに集排水することが重要である。
その点において、ユニット式の場合は、ユニットの数及び配置を必要に応じて増すことが可能であり、ユニットを埋立地の全面に敷設した場合には浸出水を全面集水することになり、その集水能力は最大となる。
【００２９】
また本発明において、次のような浸出水貯留機能を有することになる。
浸出水貯留機能：
ユニット式においては、集水した浸出水を浸出水集排水用のユニット内の空間を利用して一時貯留することが可能である。また、必要に応じて、埋立地の下流部に浸出水集排水用のユニットに連続させて、全面開口のユニットを積み重ねた浸出水を貯留する大空間を埋立地の地下に築造することができる。その結果、浸出水処理設備の処理能力から浸出水を埋立地内に一時貯留させる必要がなくなり、浸出水の有害濃度の上昇を防止し、浸出水処理設備の負荷及び処理能力を低減することができる。
また、つぎの各機能を有する。
【００３０】
地下水集排水機能：
ユニット式の地下水集排水構造は、そのシステムプランにより、地盤と接するユニットの下面または下面と側面に設けた有孔から地下水を集水し、ユニット内を通じて排水する。
埋立地の安定を長期間保つためには、地下水を効果的に集排水することで、地下水面を埋立地下面より常時下げておくことが重要である。
その点において、ユニット式の場合は、地下水量が多くその変動が大きい場合、地下水層を完全に埋立地が遮断してしまう場合で長期間にわたる人工的な地下水の通水層を設ける必要がある等の場合に、ユニットの数及び配置を必要に応じて増すことが可能であり、地下水の集排水処理に係わる様々なケースに対応できる。
【００３１】
通気機能：
最終処分場の建設に当たっては、その安全性はもちろんのこと、地域住民からは早期の跡地利用が望まれている。最終処分場の埋立地は廃棄物の浄化機能を保有する必要があるとともに、早期の跡地利用を図るためには、廃棄物層内に多くの空気を通気させることで廃棄物層内の好気性領域を拡大し、廃棄物の自己分解能力を最大限に引き出すことが重要である。
その点において、ユニット式の場合は、浸出水集排水用のユニットを利用して空気を埋立地内に通気することとした場合には、ユニットを埋立地の全面に敷設することで、ユニット全面からの通気が可能となる。また、浸出水の集排水用のユニットと空気の通気用のユニットを別々に配置することも可能であり、その場合には、ファン等による強制通気が可能となり、より一層の廃棄物の分解速度の向上が期待できる。
【００３２】
ガス抜き機能：
廃棄物の自己分解能力を向上させるためには、廃棄物層内への空気の通気性を上げると同時に、廃棄物から発生するガスを速やかに埋立地外に放出させることが重要である。
発生ガスを速やかに放出することは、放出されたガスの負圧で廃棄物層内への空気の供給を促進させ、廃棄物層内における好気的分解領域を拡大させることになる。
その点において、ユニット式の場合は、埋立地下面に設置した通気用ユニットに連続させて法面や立渠に有孔付きのユニットを配置するとともに、それらと連続させて、廃棄物の埋立中間層に水平に全面有孔付きのユニットを配置することで、発生ガスの放出能力を向上させることができる。
【００３３】
モニタリング及び損傷箇所修復機能：
最終処分場の埋立地には、浸出水の漏洩を常に監視し、その安全性を確実に判断できるモニタリング設備の導入が望まれている。モニタリングとしては、漏洩水の質と量及び損傷箇所の修復を前提とした漏洩箇所の特定、併せて、修復箇所の健全性を長期間チェック可能な一連のシステムが必要である。
ユニット式の場合は、有孔のないユニットを、ユニットのみまたは遮水シート間に連続して設置することで、廃棄物層と地盤の間に空間を創ることが可能であり、その空間に漏洩した浸出水を集水し、漏洩水の質と量をダイレクトに検知することができる。また、小型カメラ等を用いてその漏洩箇所をダイレクトに特定することで、凝結性の注入剤等により損傷箇所を修復することができる。注入等による補修でユニット間の流路が塞がれた場合には、補修箇所の上流側のユニットに小型ロボット等により孔を開けて新たな流路を設けることとする。この一連のモニタリングと損傷箇所の修復を、ユニット式による空間を利用すれば、小型カメラ及び小型ロボット等を用いて、目視によりながら確実に行うことができる。
【００３４】
実施の形態２．
図１０は、本発明による実施の形態２の一例を示す断面図であり、この場合廃棄物処分場の底面において、中段の漏洩水集排水ユニット２２は縦方向，横方向に配列されかつ互いに接続されて碁盤目状に設けられるものであるが、この下側の地下水集排水ユニット２１及びその上側の浸出水集排水ユニット２３については、部分的に一定距離離れて設けられる。このような構成によっても、部分的に設けられた地下水集排水ユニット２１で地下水を吸収することができ、また部分的に設けられた浸出水集排水ユニット２３で浸出水を部分的に吸収することは可能となる。
【００３５】
実施の形態３．
図１１は、本発明による実施の形態３の一例を示す断面図であり、この場合処理ユニット２１，２２，２３を３段に並べて、処理ユニット２４を構成するものであるが、処理ユニット２４において、部分的に浸出水集排水ユニット２３又は地下水集排水ユニット２１のいずれか一方を取り除いて構成される。このような構成によっても浸出水，地下水を十分に吸収でき、かつしゃ水機能を発揮することができる。つまり、図１２，図１３に示すように２段重ねのユニットによって処理ユニット２４を構成してもよい。
【００３６】
実施の形態４．
図１４は本発明による実施の形態４の一例を示すもので、この場合は漏洩水集排水ユニット２２は全面的に設けたものであるが、３ユニット２１，２２，２３の３段重ねの処理ユニット２４を部分的に設けており、この部分的に設けた処理ユニット２４間には、上，下のシート２６，２６が張られる。このシード２６，２６は処理ユニット２４同志の漏洩水集排水ユニット２２，２２間の上面と下面側とをゴム，合成ゴム等のシートで接続して、処理ユニット２４と２４との間における漏洩水集排水ユニット２２の上，下面を被っている。このような構成によれば、従来のしゃ水シートのみによるしゃ水構造と比較して、しゃ水シートを折り曲げることなく形状がシンプルであるため、しゃ水シートの破損要因を減少させることでしゃ水性能を向上することが可能となる。
【００３７】
なお、本発明においては漏洩水集排水ユニット２２に、例えばベントナイト懸濁液や水を充填して、これと浸出水との間の水頭差を与えることにより、浸出水が漏洩水集排水ユニット２２内に入り込まないようにして、しゃ水性を高めるようにしてもよい。ここで、埋立地内の浸出水の水圧は、埋立地底面に設置した水圧計による自動計測とし、そのデータに基づき、水もしくはベントナイト懸濁液の水頭が、浸出水による水圧よりも高くなるように、水もしくは浸出水の量を常に自動調整する。
【００３８】
また、廃棄物処理場内に一定の空間を設け、ここに漏洩水集排水ユニット２２等の箱体を積んで配置して、貯留槽を形成し浸出水が大雨等によって急激に増水した場合、この増水分と貯留出来る量にして浸出水が廃棄物処理場から溢れ出てしまうのを防止するようにしてもよい。浸出水をユニット内に一時貯留させることで、廃棄物と浸出水の接触を少なくし、浸出水の有害濃度の増大を防ぎ、浸出水処理設備の負荷を抑えることができる。また、大容量の浸出水を一時貯留させることで、浸出水処理設備の処理能力を低下させることができる。また、埋立地下部のスペースを有効利用することで、埋立地外に大規模な浸出水貯留槽を設置する必要がなくなる。
【００３９】
なお、上記地下水集排水ユニット２１，漏洩水集排水ユニット２２，浸出水集排水ユニット２３はプラスチックに等によって形成することに限定されず、ＦＲＰ，鉄あるいはコンクリート等によって形成してもよいことは勿論である。
【００４０】
また地下水集排水ユニット２１の側板、あるいは浸出水集排水ユニット２３の側板の孔に設けてもよいことは勿論である。
【００４１】
また、従来用いたしゃ水シートの上部に浸出水集排水ユニット２３を配置し、下部に地下水集排水ユニット２１を配置して、漏洩水集排水ユニット２２を省略した構造であってもよい。
【００４２】
また、製造に際しては各ユニット２１，２２，２３単体を揃えておくこと以外に、中段のユニット２２の上，下に、上段，下段のユニットを接続した３段重ねのもの、あるいは中段のユニットに上段又は下段のユニットを重ねた２段重ねのものをあらかじめ用意しておいて必要に応じて配置してもよい。
【００４３】
また、ユニット式浸出水浄化システムは、浸出水集排水用のユニット内に浸出水の浄化作用を有する鉱物等を設置し、浸出水の排水段階において、浸出水とその鉱物等を接触させることが浸出水の有害濃度を低下させ、浸出水処理設備の処理負荷を低減させる浸出水浄化システムを構成してもよい。
また、ユニット式強制通気システムは、浸出水集排水用のユニット及び通気専用のユニットを通して、連続するユニットの先端に設けたファン等により、空気を送風もしくは吸引させることで廃棄物層内に大量の空気を送り込み、廃棄物内の好気性領域を拡大させることで廃棄物の自己分解能力の促進を図り、最終処分場の早期跡地利用を可能にする強制通気システムを構成してもよい。
【００４４】
【発明の効果】
以上説明したように本発明による請求項１によれば、前，後端が開口し、かつ少なくとも下部側に複数の孔を有する箱状の地下水集排水ユニットを、複数個、上記開口同志が連通するように接続した状態で処分場底部に配置するとともに、この地下水集排水ユニットの上に、前，後端が開口し、かつ少なくとも上部側に複数の孔を有する箱状の浸出水集排水ユニットを、上記開口同志が連通するように接続した状態で、上記処分場の埋立地の全面に敷設したので、集水能力を大幅に改善できるとともに、地下水を速やかに排水することができる。また、浸出水集排水ユニットは処分場の埋立地の全面に敷設されているので、廃棄物からしみ出るような浸出水をしゃ水して地下地盤方向に漏れ出すことを阻止できる。更には、複数のユニットを組合せ配置して接続するだけでよいので、工期を短縮することができ、また箱状となっているので耐久性に富むものとなり、またその排出の能力及び信頼性を高めることができ、更に十分な量の空気を廃棄物に供給することができるので、好気性領域を拡大させることができる。さらにガス抜きを速やかに行える。また、ユニットの組合せを変えることで様々な最終処分場に適用できる。
【００４５】
また、第２の発明によれば、前，後端が開口し、かつ少なくとも下部側に複数の孔を有する箱状の地下水集排水ユニットを、複数個、上記開口同志が連通するように接続した状態で処分場底部に配置するとともに、この地下水集排水ユニットの上に、前，後端が開口する箱状の漏洩水集排水ユニットを、複数個、上記開口同志が連通するように接続した状態で、上記処分場の埋立地の全面に敷設したので、廃棄物からしみ出るような浸出水をしゃ水して地下地盤方向に漏れ出すことを阻止できるとともに、地下水を速やかに排水することができる。また、モニタリングにもとづき漏洩水の検知が容易となり、しかも漏洩個所の修復が容易となる。
【００４６】
請求項３の発明によれば、上記漏洩水集排水ユニットの上に、前，後端が開口し、かつ少なくとも上部側に複数の孔を有する箱状の浸出水集排水ユニットを、複数個、上記開口同志が連通するように接続した状態で配置したので、上記効果を奏するだけでなく、廃棄物層からの浸出水を速やかに排水することができる。又請求項４の発明によれば、上記請求項２または請求項３の発明において左右同志の漏洩水集排水ユニットも連通させたので、漏洩水を上下及び左右方向から検出することが可能となり検出が容易となる。
【図面の簡単な説明】
【図１】本発明による廃棄物処理場の一実施の形態を示す断面図。
【図２】この発明の一実施の形態を示す腰部断面図。
【図３】この発明の一実施の形態を示す平面図。
【図４】この発明の一実施の形態に用いる地下水集排水ユニット２１の一例を示す斜視図。
【図５】この発明の一実施の形態に用いる漏洩水集排水ユニットの一例を示す斜視図。
【図６】この発明の一実施の形態を示す浸出水集排水ユニットの一例を示す斜視図。
【図７】この発明の一実施の形態に用いるユニット間の接続構造を示す図。
【図８】処理ユニットの一例を示す斜視図。
【図９】この発明の一実施の形態に用いるユニット間の接続構造を示す図。
【図１０】この発明の他の実施の形態を示す断面図。
【図１１】この発明の他の実施の形態を示す断面図。
【図１２】この発明の他の実施の形態を説明するための斜視図。
【図１３】この発明の他の実施の形態を説明するための斜視図。
【図１４】この発明の他の実施の形態を説明するための断面図。
【図１５】従来の廃棄物処分場の構造を説明するための断面図。
【図１６】従来の廃棄物処分場の構造を説明するための拡大断面図。
【図１７】従来の廃棄物処分場の一例を説明するための全体を示す断面図。
【図１８】従来の廃棄物処分場の一例を示す平面図。
【符号の説明】
２０  地下地盤
２１  地下水集排水ユニット
２２  漏洩水集排水ユニット
２３  浸出水集排水ユニット
２４  処理ユニット
２５  保護材
２６  しゃ水シート。
【図１】
0003619353.tif 000002
【図２】
0003619353.tif 000003
【図３】
0003619353.tif 000004
【図４】
0003619353.tif 000005
【図５】
0003619353.tif 000006
【図６】
0003619353.tif 000007
【図７】
0003619353.tif 000008
【図８】
0003619353.tif 000009
【図９】
0003619353.tif 000010
【図１０】
0003619353.tif 000011
【図１１】
0003619353.tif 000012
【図１２】
0003619353.tif 000013
【図１３】
0003619353.tif 000014
【図１４】
0003619353.tif 000015
【図１５】
0003619353.tif 000016
【図１６】
0003619353.tif 000017
【図１７】
0003619353.tif 000018
【図１８】
0003619353.tif 000019